(57)【特許請求の範囲】
【請求項１】
ワイヤレス通信の方法であって、
非ライセンス周波数帯域上でデータパケットのフローを送信することを備え、
データパケットの前記送信されたフローに応答して肯定応答（ＡＣＫ）メッセージが受信されていないと決定することと、
前記決定に少なくとも部分的に基づいて、ライセンス周波数帯域上でデータパケットの前記フローのサブセットを選択的に再送信することと
によって特徴付けられる、方法。
【請求項２】
少なくともデータパケットの前記フローの前記サブセットが成功裏に受信されたかどうかを決定することをさらに備える、請求項１に記載の方法。
【請求項３】
少なくともデータパケットの前記フローの前記サブセットが成功裏に受信されたかどうかを決定することは、
別のＡＣＫメッセージが受信されたかどうかを決定することを備え、前記別のＡＣＫメッセージは、データパケットの前記フローの前記サブセットの１つ以上のデータパケットに応答する、請求項２に記載の方法。
【請求項４】
前記ライセンス周波数帯域上でデータパケットの前記フローの前記サブセットを選択的に送信することは、
前記非ライセンス周波数帯域上での不成功な送信の数がしきい値を超える場合、前記ライセンス周波数帯域上で少なくともデータパケットの前記フローの前記サブセットを再送信することを備える、請求項１に記載の方法。
【請求項５】
前記ライセンス周波数帯域上でデータパケットの前記フローの前記サブセットを選択的に送信することは、
前記ＡＣＫメッセージを受信することなく時間遅延が終了する場合、前記ライセンス周波数帯域上で少なくともデータパケットの前記フローの前記サブセットを再送信することを備える、請求項１に記載の方法。
【請求項６】
前記非ライセンス周波数帯域のチャネル条件をモニタすることと、
前記ライセンス周波数帯域のチャネル条件をモニタすることと
をさらに備える、請求項１に記載の方法。
【請求項７】
前記非ライセンス周波数帯域をモニタすることと、前記ライセンス周波数帯域をモニタすることは、同時に実行される、請求項６に記載の方法。
【請求項８】
前記非ライセンス周波数帯域の前記モニタされたチャネル条件または前記ライセンス周波数帯域の前記モニタされたチャネル条件に少なくとも部分的に基づいて、前記ライセンス周波数帯域上または前記非ライセンス周波数帯域上で送信するかどうかを決定することをさらに備える、請求項６に記載の方法。
【請求項９】
前記ＡＣＫメッセージは、前記ライセンス周波数帯域上で受信される、請求項１に記載の方法。
【請求項１０】
データパケットの前記フローは、送信制御プロトコル（ＴＣＰ）パケットを備える、請求項１に記載の方法。
【請求項１１】
ワイヤレス通信のためのシステムであって、
非ライセンス周波数帯域上でデータパケットのフローを送信するための手段を備え、
データパケットの前記送信されたフローに応答して肯定応答（ＡＣＫ）メッセージが受信されていないと決定するための手段と、
前記決定に少なくとも部分的に基づいて、ライセンス周波数帯域上でデータパケットの前記フローのサブセットを選択的に再送信するための手段と
を備える、システム。
【請求項１２】
データパケットの前記フローの前記サブセットを選択的に送信するための前記手段は、
前記ライセンス周波数帯域上でデータパケットの前記フローの前記サブセットを選択的に再送信するための手段を備える、請求項１１に記載のシステム。
【請求項１３】
少なくともデータパケットの前記フローの前記サブセットが成功裏に受信されたかどうかを決定するための手段さらに備える、請求項１１に記載のシステム。
【請求項１４】
ワイヤレス通信のための装置であって、
プロセッサと、
前記プロセッサと電子通信状態にあるメモリと、
前記メモリに記憶された命令とを備え、前記命令は、
非ライセンス周波数帯域上でデータパケットのフローを送信するために前記プロセッサによって実行可能であり、
データパケットの前記送信されたフローに応答して肯定応答（ＡＣＫ）メッセージが受信されていないと決定する、および
前記決定に少なくとも部分的に基づいて、ライセンス周波数帯域上でデータパケットの前記フローのサブセットを選択的に送信することによって特徴付けられる、装置。
【請求項１５】
ワイヤレス通信のための命令を記憶する非一時的なコンピュータ可読媒体であって、前記命令は、
非ライセンス周波数帯域上でデータパケットのフローを送信するように実行可能であり、
データパケットの前記送信されたフローに応答して肯定応答（ＡＣＫ）メッセージが受信されていないと決定する、および
前記決定に少なくとも部分的に基づいて、ライセンス周波数帯域上でデータパケットの前記フローのサブセットを選択的に再送信することによって特徴付けられる、非一時的なコンピュータ可読媒体。
【発明の詳細な説明】
【相互参照】
【０００１】
[0001]  本願は、２０１３年１２月１８日に出願された、「ワイヤレスネットワークに対する制限されたライセンスチャネル使用によるＴＣＰエンハンスメント（TCP Enhancement With Limited Licensed Channel Usage for Wireless Networks）」と題する、Jose他による米国特許出願番号第１４／１３２，３６０の優先権を主張し、この譲渡人に譲渡される。
【背景技術】
【０００２】
[0002]  以下は、一般的には、ワイヤレス通信に関し、より具体には、ライセンスおよび非ライセンス周波数帯域の両方を使用して通信システムを動作させることに関する。ワイヤレス通信システムは、音声、映像、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって複数のユーザとの通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および、直交周波数分割多元接続（ＯＦＤＭＡ）システムを含む。
【０００３】
[0003]  一般的に、ワイヤレス多元接続通信システムは、それぞれが複数のモバイルデバイスに関する通信を同時にサポートする多数の基地局を含み得る。基地局は、ダウンストリームおよびアップストリームリンク上でモバイルデバイスと通信し得る。各基地局は、カバレッジ範囲を有し、それはセルのカバレッジエリアと称され得る。セルラネットワークにおけるカバレッジ制限およびワイヤレス容量に対処するために、ますます小さなセルが展開されつつある。いくつかの場合において、小さなセルは、専用のワイヤードバックホールを通してワイヤレスネットワークに接続されることができない。見通し外（ＮＬＯＳ：Non-line-of-sight）ワイヤレスバックホールは、１つの可能な解決策を提示するが、ライセンスおよび非ライセンススペクトルの両方は、それぞれワイヤレスバックホールの実現への課題を提示する。例えば、ライセンススペクトルは、制限された利用可能性を有し、それの使用は法外な費用がかかる可能性がある。非ライセンススペクトルは、ライセンススペクトルよりも容易に利用可能であるが、負担となる干渉の影響を受けやすい可能性がある。
【発明の概要】
【０００４】
[0004]  説明される特徴は、一般的には、ライセンス周波数帯域および非ライセンス周波数帯域の両方を使用して通信システムを動作させるための１つ以上の改善されたシステム、方法、および装置に関する。非ライセンススペクトルはデータパケットを送信するためのプライマリ帯域として使用され得、ライセンススペクトルは送信されたデータパケットのサブセットを選択的に送信する（例えば、再送信する）ために実現され得る。
【０００５】
[0005]  いくつかの実施形態において、ワイヤレス通信の方法は、非ライセンス周波数帯域上でデータパケットのフローを送信することと、ライセンス周波数帯域上でデータパケットのフローのサブセットを選択的に送信することを含む。
【０００６】
[0006]  いくつかの実施形態において、ワイヤレス通信のためのシステムは、非ライセンス周波数帯域上でデータパケットのフローを送信するための手段と、ライセンス周波数帯域上でデータパケットのフローのサブセットを選択的に送信するための手段を含む。
【０００７】
[0007]  いくつかの実施形態において、ワイヤレス通信のための装置は、プロセッサと、プロセッサと電子通信状態にあるメモリと、メモリ中に記憶される命令とを含む。命令は、非ライセンス周波数帯域上でデータパケットのフローを送信し、ライセンス周波数帯域上でデータパケットのフローのサブセットを選択的に送信するためにプロセッサによって実行可能であり得る。
【０００８】
[0008]  いくつかの実施形態において、ワイヤレス通信のための命令を記憶する非一時的なコンピュータ可読媒体が説明される。命令は、非ライセンス周波数帯域上でデータパケットのフローを送信し、ライセンス周波数帯域上でデータパケットのフローのサブセットを選択的に送信するように実行可能である。
【０００９】
[0009]  方法、システム、装置、および／または非一時的なコンピュータ可読媒体のある特定の例において、データパケットのフローのサブセットを選択的に送信することは、ライセンス周波数帯域上でデータパケットのフローのサブセットを選択的に再送信することを含み得る。データパケットのフローのサブセットを選択的に送信するための手段は、ライセンス周波数帯域上でデータパケットのフローのサブセットを選択的に再送信するための手段を含み得る。それに加えて、あるいはその代わりに、それらは、ライセンス周波数帯域上でデータパケットのフローのサブセットを選択的に再送信するように実行可能な命令を含み得る。
【００１０】
[0010]  ある特定の例において、方法、システム、装置、および／または非一時的なコンピュータ可読媒体はまた、少なくともデータパケットのフローのサブセットが成功裏に受信されたかどうかを決定するためのステップ、手段、および／または実行可能な命令を含み得る。
【００１１】
[0011]  方法、システム、装置、および／または非一時的なコンピュータ可読媒体のある特定の例において、少なくともデータパケットのフローのサブセットが成功裏に受信されたかどうかを決定することは、肯定応答（ＡＣＫ）メッセージが受信されたかどうかを決定することを含み得る。少なくともデータパケットのフローのサブセットが成功裏に受信されたかどうかを決定するための手段は、肯定応答（ＡＣＫ）メッセージが受信されたかどうかを決定するための手段を含み得る。それに加えて、あるいはその代わりに、命令は、肯定応答（ＡＣＫ）メッセージが受信されたかどうかを決定するように実行可能な命令を含み得る。
【００１２】
[0012]  方法、システム、装置、および／または非一時的なコンピュータ可読媒体のある特定の例において、ライセンス周波数帯域上でデータパケットのフローのサブセットを選択的に送信することは、非ライセンス周波数帯域上での不成功な送信の数がしきい値を超える場合、ライセンス周波数帯域上で少なくともデータパケットのフローのサブセットを再送信することを含み得る。ライセンス周波数帯域上でデータパケットのフローのサブセットを選択的に送信するための手段は、非ライセンス周波数帯域上での不成功な送信の数がしきい値を超える場合、ライセンス周波数帯域上で少なくともデータパケットのフローのサブセットを再送信するための手段を含み得る。それに加えて、あるいはその代わりに、命令は、非ライセンス周波数帯域上での不成功な送信の数がしきい値を超える場合、ライセンス周波数帯域上で少なくともデータパケットのフローのサブセットを再送信するように実行可能な命令を含み得る。
【００１３】
[0013]  方法、システム、装置、および／または非一時的なコンピュータ可読媒体のある特定の例において、ライセンス周波数帯域上でデータパケットのフローのサブセットを選択的に送信することは、肯定応答（ＡＣＫ）メッセージを受信することなく時間遅延が終了する場合、ライセンス周波数帯域上で少なくともデータパケットのフローのサブセットを再送信することを含み得る。ライセンス周波数帯域上でデータパケットのフローのサブセットを選択的に送信するための手段は、肯定応答（ＡＣＫ）メッセージを受信することなく時間遅延が終了する場合、ライセンス周波数帯域上で少なくともデータパケットのフローのサブセットを再送信するための手段を含み得る。それに加えて、あるいはその代わりに、命令は、肯定応答（ＡＣＫ）メッセージを受信することなく時間遅延が終了する場合、ライセンス周波数帯域上で少なくともデータパケットのフローのサブセットを再送信するように実行可能な命令を含み得る。
【００１４】
[0014]  ある特定の例において、方法、システム、装置、および／または非一時的なコンピュータ可読媒体はまた、非ライセンス周波数帯域のチャネル条件をモニタし、ライセンス周波数帯域のチャネル条件をモニタするためのステップ、手段、および／または実行可能な命令を含み得る。
【００１５】
[0015]  方法、システム、装置、および／または非一時的なコンピュータ可読媒体のある特定の例において、非ライセンス周波数帯域をモニタすることと、ライセンス周波数帯域をモニタすることは、同時に実行され得る。非ライセンス周波数帯域をモニタし、ライセンス周波数帯域をモニタするための手段は、同時に非ライセンス帯域をモニタすることと、ライセンス周波数帯域をモニタすることとを行なうための手段を含み得る。それに加えて、あるいはその代わりに、命令は、同時に非ライセンス周波数帯域をモニタすることと、ライセンス周波数帯域をモニタすることとを行なうように実行可能な命令を含み得る。
【００１６】
[0016]  ある特定の例において、方法、システム、装置、および／または非一時的なコンピュータ可読媒体はまた、非ライセンス周波数帯域のモニタされたチャネル条件またはライセンス周波数帯域のモニタされたチャネル条件に少なくとも部分的に基づいて、ライセンス周波数帯域上または非ライセンス周波数帯域上で送信するかどうかを決定するためのステップ、手段、および／または実行可能な命令を含み得る。
【００１７】
[0017]  ある特定の例において、方法、システム、装置、および／または非一時的なコンピュータ可読媒体はまた、ライセンス周波数帯域上でＡＣＫメッセージを受信するためのステップ、手段、および／または実行可能な命令を含み得る。
【００１８】
[0018]  方法、システム、装置、および／または非一時的なコンピュータ可読媒体のある特定の例において、データパケットのフローは、送信制御プロトコル（ＴＣＰ）パケットであり得る。
【００１９】
[0019]  説明される方法、システム、および装置の適用性のさらなる範囲は、以下の詳細な説明、特許請求の範囲、および図面から明らかとなるであろう。詳細な説明の範囲および精神内の様々な変更および修正が当業者に明らかとなるであろうことから、詳細な説明および具体例は、例示のみを目的として示される。
【図面の簡単な説明】
【００２０】
[0020]  本発明の本質および利点のさらなる理解は、以下の図を参照することによって実現され得る。添付の図面において、類似のコンポーネントまたは特徴は、同じ参照ラベルを有し得る。さらに、同じタイプの様々なコンポーネントは、参照ラベルに、類似のコンポーネントを区別するハイフンと第２のラベルとを後続させることによって、区別され得る。本明細書で第１の参照ラベルのみが使用されている場合には、本記載は、第２の参照ラベルにかかわらず、同じ第１の参照ラベルを有する類似のコンポーネントのいずれか１つに適用可能である。
【図１】[0021]  図１は、様々な実施形態に従って動作するように構成されたワイヤレス通信システムのブロック図を示す。
【図２】[0022]  図２は、様々な実施形態に従って動作するように構成された多入力多出力（ＭＩＭＯ）ワイヤレス通信システムの一例のブロック図を示す。
【図３Ａ】[0023]  図３Ａおよび３Ｂは、様々な実施形態に従って動作するように構成されたワイヤレス通信デバイス（単数または複数）のブロック図を示す。
【図３Ｂ】図３Ａおよび３Ｂは、様々な実施形態に従って動作するように構成されたワイヤレス通信デバイス（単数または複数）のブロック図を示す。
【図４Ａ】[0024]  図４Ａおよび４Ｂは、様々な実施形態に従って動作するように構成されたシステムのブロック図を示す。
【図４Ｂ】図４Ａおよび４Ｂは、様々な実施形態に従って動作するように構成されたシステムのブロック図を示す。
【図５】[0025]  図５は、様々な実施形態に従って動作するように構成された通信システムのブロック図を示す。
【図６】[0026]  図６は、様々な実施形態に従って動作するように構成された通信システムのコールフロー図である。
【図７】[0027]  図７は、様々な実施形態に従って動作するように構成された通信システムのコールフロー図である。
【図８】[0028]  図８は、様々な実施形態に従って動作するように構成された通信システムのコールフロー図である。
【図９】[0029]  図９は、様々な実施形態に従うワイヤレス通信のための方法のフロー図である。
【図１０】[0030]  図１０は、様々な実施形態に従うワイヤレス通信のための方法のフロー図である。
【図１１】[0031]  図１１は、様々な実施形態に従うワイヤレス通信のための方法のフロー図である。
【詳細な説明】
【００２１】
[0032]  ライセンス周波数帯域および非ライセンス周波数帯域の両方を使用して通信システムを動作させるための改善されたシステム、方法、および装置が説明される。非ライセンススペクトルはデータパケットを送信するためのプライマリ帯域として使用され得、ライセンススペクトルは送信されたデータパケットのサブセットを選択的に送信する（例えば、再送信する）ために実現され得る。いくつかの場合において、送信制御プロトコル（ＴＣＰ）エンハンスメントは、非ライセンススペクトルネットワークの相対的偏在（relative ubiquity）を十分に利用しながら、ライセンススペクトルネットワークの信頼性を活用するために実現され得る。ＴＣＰは、データネットワークにおける信頼性のあるエンドツーエンドフローを提供し得、それは、ネットワーク混雑の課題を緩和するのに役立ち得る。
【００２２】
[0033]  非ライセンススペクトルはデータパケットを送信するためのプライマリ帯域として使用され得、ＴＣＰはライセンススペクトルを介して送信されたデータパケットのサブセットを選択的に送信する（例えば、再送信する）ために実現され得る。ライセンススペクトルを介したデータパケットのサブセットの選択的送信は、非ライセンススペクトル上で１つ以上の送信されたデータパケットに応答して肯定応答（ＡＣＫ）メッセージを受信することができない送信機に基づき得る。選択的再送信は、干渉を検出する送信機、および／またはチャネル条件に関する情報を報告する受信機に基づき得る。いくつかの場合において、送信機は、ライセンスおよび非ライセンススペクトルの両方についてのチャネル条件情報を同時に受信し得る。他の場合では、非ライセンススペクトルは、データパケット送信のために利用され得、ライセンススペクトルは、ＡＣＫメッセージのために利用され得る。
【００２３】
[0034]  よって、以下の説明は例を提供するものであり、特許請求の範囲において記載される範囲、適用性、あるいは構成を限定するものではない。本開示の精神および範囲から逸脱することなく、説明される要素の機能および配置において変更がなされ得る。様々な実施形態は、様々な手順またはコンポーネントを適宜省略、置換、または追加し得る。例えば、説明される方法は、説明されるものとは異なる順序で実行され、様々なステップが追加、省略、あるいは組み合わせられ得る。また、ある特定の実施形態に関して説明される特徴は、他の実施形態で組み合され得る。
【００２４】
[0035]  まず図１を参照すると、ブロック図は、ワイヤレス通信システム１００の例を例示している。システム１００は、基地局（またはセル）１０５、通信デバイス１１５、およびコアネットワーク１３０を含む。基地局１０５は、基地局コントローラ（図示せず）の制御下で通信デバイス１１５と通信し得、これは、様々な実施形態において、コアネットワーク１３０または基地局１０５の一部であり得る。基地局１０５は、バックホールリンク１３２を通して、コアネットワーク１３０と制御情報および／またはユーザデータを通信し得る。バックホールリンク１３２は、ワイヤードバックホールリンク（例えば、銅、ファイバ、等）および／またはワイヤレスバックホールリンク（例えば、マイクロ波、等）であり得る。実施形態において、基地局１０５は、直接的または間接的に、ワイヤードまたはワイヤレス通信リンクであり得るバックホールリンク１３４を介して互いに通信し得る。システム１００は、複数のキャリア（異なる周波数の波形信号）上の動作をサポートし得る。マルチキャリア送信機は、複数のキャリア上で同時に変調された信号を送信することができる。例えば、各通信リンク１２５は、上述した様々な無線技術に従って変調されたマルチキャリア信号であり得る。各変調された信号は、異なるキャリア上で送られ、制御情報（例えば、基準信号、制御チャネル、等）、オーバヘッド情報、データ、等を搬送し得る。
【００２５】
[0036]  基地局１０５は、１つ以上の基地局アンテナを介してデバイス１１５とワイヤレスで通信し得る。基地局１０５のサイトの各々は、それぞれのカバレッジエリア１１０のための通信カバレッジを提供し得る。いくつかの実施形態において、基地局１０５は、トランシーバ基地局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の適切な用語で称され得る。基地局のためのカバレッジエリア１１０は、カバレッジエリア（図示せず）の一部のみを構成するセクタに分割され得る。システム１００は、異なるタイプの基地局１０５（例えば、マクロ、マイクロ、および／またはピコ基地局）を含み得る。異なる技術に対してオーバーラップしているカバレッジエリアが存在し得る。さらに、基地局１０５は、ライセンス周波数帯域、非ライセンス周波数帯域、または両方を使用してデバイス１１５と通信し得る。本明細書で使用される場合、「ライセンススペクトル」および／または「ライセンス周波数帯域」は、ライセンスユーザのためにリザーブされた無線周波数帯域を指し得る。本明細書で使用される場合、「非ライセンススペクトル」および／または「非ライセンス周波数帯域」は、ライセンスの必要のない公共利用のために一般的に公開されている無線周波数帯域を指し得る。
【００２６】
[0037]  非ライセンス周波数帯域と比べて一般的には少ない干渉であり得るため、ライセンス周波数帯域が望ましくあり得る。例えば、非ライセンス周波数帯域が送信電力および他の制限に従う限りは誰でも使用することができるのに対してライセンス周波数帯域はライセンスユーザによってのみ使用され得るので、ライセンス帯域は、より少ないトラフィックを受ける可能性があり、それ故により少ない干渉を受ける可能性がある。それにもかかわらず、非ライセンス周波数帯域は、例えば、ライセンス周波数帯域上の帯域幅の制限された利用可能性に起因して、望ましくあり得る。
【００２７】
[0038]  通信デバイス１１５は、ワイヤレスネットワーク１００全体に分散され、各デバイスは、固定またはモバイルであり得る。通信デバイス１１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、ユーザ機器、モバイルクライアント、クライアント、または何らかの他の適切な用語で称され得る。通信デバイス１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、等であり得る。通信デバイスは、マクロ基地局、ピコ基地局、フェムト基地局、リレー基地局、および同類のものと通信することができる。
【００２８】
[0039]  ネットワーク１００に示される送信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は、順方向リンク送信とも呼ばれ得、一方でアップリンク送信は、逆方向リンク送信とも呼ばれ得る。
【００２９】
[0040]  実施形態において、システム１００は、ＬＴＥ（登録商標）／ＬＴＥ−Ａネットワークであり得る。ＬＴＥ／ＬＴＥ−Ａネットワークにおいて、発展型ノードＢ（ｅＮＢ）およびユーザ機器（ＵＥ）という用語は、一般的に、基地局１０５および通信デバイス１１５をそれぞれ説明するために使用され得る。システム１００は、異なるタイプのｅＮＢが様々な地理的領域にカバレッジを提供する異機種ＬＴＥ／ＬＴＥ−Ａネットワークであり得る。例えば、各ｅＮＢ１０５は、マクロセル、ピコセル、フェムトセル、および／または他のタイプのセルのための通信カバレッジを提供し得る。マクロセルは、一般的に、相対的に広い地理的エリア（例えば、半径数キロメートル）をカバーし、ネットワークプロバイダにサービス加入しているＵＥによる制限のないアクセスを可能にし得る。ピコセルは、一般的に、相対的により狭い地理的エリアをカバーし、ネットワークプロバイダにサービス加入しているＵＥによる制限のないアクセスを可能にし得る。フェムトセルもまた、一般的に、相対的に狭い地理的エリア（例えば、家）をカバーし、制限のないアクセスに加え、フェムトセルとの関連付けを有するＵＥ（例えば、クローズドサブスクライバグループ（ＣＳＧ）の中のＵＥ、家の中のユーザのためのＵＥ、等）による制限されたアクセスをも提供し得る。マクロセルのためのｅＮＢは、マクロｅＮＢと称され得る。ピコセルのためのｅＮＢは、ピコｅＮＢと称され得る。また、フェムトセルのためのｅＮＢは、フェムトｅＮＢまたはホームｅＮＢと称され得る。ｅＮＢは、１つまたは複数の（たとえば、２つ、３つ、４つ、等の）セルをサポートし得る。
【００３０】
[0041]  次に、図２を参照すると、基地局またはｅＮＢ １０５−ａおよびモバイルデバイスまたはＵＥ １１５−ａを含むＭＩＭＯ通信システム２００のブロック図が示されている。基地局１０５−ａは、図１の基地局１０５の一例であり得、一方でモバイルデバイス１１５−ａは、図１の通信デバイス１１５の一例であり得る。このシステム２００は、図１のシステム１００の態様を例示し得る。基地局１０５−ａは、Ｍ個のアンテナ２３４−ａ〜２３４−ｍを備え、モバイルデバイス１１５−ａは、Ｎ個のアンテナ２５２−ａ〜２５２−ｎを備え得る。システム２００において、基地局１０５−ａは、通信リンクを介した送信のために複数のアンテナ技法を用いることができる。例えば、基地局１０５−ａは、モバイルデバイス１１５−ａによって受信された送信のロバスト性を改善するために送信ダイバーシティを用いることができる。モバイルデバイス１１５−ａは、複数のアンテナで受信された信号を組み合わせるために複数の受信アンテナを使用する受信ダイバーシティを用いることができる。
【００３１】
[0042]  基地局１０５−ａにおいて、送信（Ｔｘ）プロセッサ２２０は、データソースからデータを受信し得る。送信プロセッサ２２０は、データを処理し得る。送信プロセッサ２２０はまた、基準シンボル、およびセル特有の基準信号を生成し得る。送信（Ｔｘ）ＭＩＭＯプロセッサ２３０は、適用可能な場合、データシンボル、制御シンボル、および／または基準シンボルに空間処理（例えば、プリコーディング）を実行し得、送信変調器２３２−ａ〜２３２−ｍに出力シンボルストリームを提供し得る。各変調器２３２は、（例えば、ＯＦＤＭ、等のために）それぞれの出力シンボルストリームを処理して、出力サンプルストリームを取得し得る。各変調器２３２はさらに、出力サンプルストリームを処理（例えば、アナログ変換、増幅、フィルタリング、およびアップコンバート）して、ダウンリンク（ＤＬ）信号を取得し得る。一例において、変調器２３２−ａ〜２３２−ｍからのＤＬ信号は、それぞれ、アンテナ２３４−ａ〜２３４−ｍを介して送信され得る。いくつかの場合において、変調器２３２−ａ〜２３２−ｍは、ライセンス周波数帯域および非ライセンス周波数帯域の両方でアンテナ２３４−ａ〜２３４−ｍを介して信号を送信し得る。
【００３２】
[0043]  モバイルデバイス１１５−ａにおいて、モバイルデバイスのアンテナ２５２−ａ〜２５２−ｎは、基地局１０５−ａからＤＬ信号を受信し得、それぞれ、復調器２５４−ａ〜２５４−ｎに、受信した信号を提供し得る。各復調器２５４は、受信されたそれぞれの信号を調整（例えば、フィルタリング、増幅、ダウンコンバート、およびデジタル化）して、入力サンプルを取得し得る。各復調器２５４はさらに、（例えば、ＯＦＤＭ、等のために）入力サンプルを処理して、受信されたシンボルを取得し得る。ＭＩＭＯ検出器２５６は、すべての復調器２５４−ａ〜２５４−ｎからの受信されたシンボルを取得し得、適用可能であれば、受信されたシンボルに対してＭＩＭＯ検出を実行し、検出されたシンボルを提供する。受信（Ｒｘ）プロセッサ２５８は、検出されたシンボルを処理（例えば、復調、デインタリーブ、復号）し得、データ出力にモバイルデバイス１１５−ａのための復号されたデータを提供し、プロセッサ２８０またはメモリ２８２に復号された制御情報を提供し得る。
【００３３】
[0044]  基地局１０５−ａおよび／またはモバイルデバイス１１５−ａは、ライセンス周波数帯域および／または非ライセンス周波数帯域を利用し得る。例として、プロセッサ２４０またはプロセッサ２８０のいずれかまたは両方は、信号、またはデータパケットのフローを、ライセンス周波数帯域または非ライセンス周波数帯域上で送信するかどうかを決定し得る。いくつかの場合において、プロセッサ２４０および２８０の１つまたは両方は、データパケットのフローが非ライセンス周波数帯域を使用して送信され得る、および／またはデータパケットのフローのサブセットがライセンス周波数帯域を使用して送信されるべきであると決定する。プロセッサ２４０および２８０の１つまたは両方は、さらに、肯定応答（ＡＣＫ）メッセージがライセンス周波数帯域を使用して常に送信されるべきであると決定し得る。
【００３４】
[0045]  アップリンク（ＵＬ）では、モバイルデバイス１１５−ａにおいて、送信（Ｔｘ）プロセッサ２６４は、データソースまたはメモリ２４２と結合されたプロセッサ２４０からデータを受信し、処理し得る。送信プロセッサ２６４はまた、基準信号のための基準シンボルを生成し得る。送信プロセッサ２６４からのシンボルは、適用可能な場合、送信（Ｔｘ）ＭＩＭＯプロセッサ２６６によってプリコーディングされ得、さらに（例えば、ＳＣ−ＦＤＭＡ、等のために）復調器２５４−ａ〜２５４−ｎによって処理され、基地局１０５−ａから受信された送信パラメータによって基地局１０５−ａに送信され得る。基地局１０５−ａにおいて、モバイルデバイス１１５−ａからのＵＬ信号が、アンテナ２３４によって受信され、復調器２３２によって処理され、適用可能な場合にはＭＩＭＯ検出器２３６によって検出され、受信（Ｒｘ）プロセッサ２３８によってさらに処理され得る。
受信プロセッサ２３８は、復号されたデータをデータ出力およびプロセッサ２４０に提供し得る。
【００３５】
[0046]  基地局１０５−ａのコンポーネントは、個々にまたは集合的に、ハードウェアにおいて適用可能な機能のいくつかあるいはすべてを実行するように適合された１つ以上の特定用途向け集積回路（ＡＳＩＣ）により実現され得る。記載されるモジュールの各々は、システム２００の動作に関する１つ以上の機能を実行するための手段であり得る。同様に、モバイルデバイス１１５−ａのコンポーネントは、個々にまたは集合的に、ハードウェアにおいて適用可能な機能のいくつかあるいはすべてを実行するように適合された１つ以上の特定用途向け集積回路（ＡＳＩＣ）により実現され得る。記載されるコンポーネントの各々は、システム２００の動作に関する１つ以上の機能を実行するための手段であり得る。
【００３６】
[0047]  次に図３Ａを参照すると、それは、様々な実施形態に従って、ライセンス周波数帯域および非ライセンス周波数帯域のいずれかまたは両方を使用して動作するように構成されたデバイス３０５のブロック図３００を示している。デバイス３０５は、例えば、図１または２に例示されたＵＥ１１５の態様を例示し得る。それに加えて、あるいはその代わりに、デバイス３０５は、図１または２に関連して説明された基地局１０５の態様を例示し得る。デバイス３０５は、受信機モジュール３１０、送信機モジュール３２０、および／または周波数帯域決定ジュール３３０を含み得る。これらコンポーネントの各々は、互いと通信状態にあり得る。いくつかの実施形態において、デバイス３０５は、プロセッサである。
【００３７】
[0048]  デバイス３０５のコンポーネントは、汎用プロセッサ、デジタルシグナルプロセッサ（ＤＳＰ）、特定用途向け集積回路（ＡＳＩＣ）、フィールドプログラマブルゲートアレイ（ＦＰＧＡ）、あるいは他のプログラマブルロジックデバイス、離散ゲートまたはトランジスタロジック、離散ハードウェアコンポーネント、あるいは本明細書で説明された機能を実行するために設計された、それら任意の組み合わせで実現あるいは実行され得る。汎用プロセッサは、マイクロプロセッサであり得るが、代替において、このプロセッサは、任意の従来のプロセッサ、コントローラ、マイクロコントローラ、またはステートマシン（state machine）であり得る。プロセッサはまた、コンピューティングデバイスの組み合わせ、例えば、ＤＳＰとマイクロプロセッサとの組み合わせ、複数のマイクロプロセッサ、ＤＳＰコアと連結した１つ以上のマイクロプロセッサ、あるいは任意の他のそのような構成として実現され得る。
【００３８】
[0049]  デバイス３０５は、本明細書で説明される機能を実行し得る、またはそれを実行するための手段を含み得る。いくつかの実施形態において、受信機モジュール３１０は、ライセンス周波数帯域および非ライセンス周波数帯域を使用して信号を受信するおよび／または測定を実行する。周波数帯域決定モジュール３３０は、受信された信号および／または測定値を処理し得、どのようなデータパケットがライセンス周波数帯域を使用して送信されるのに適しているか、およびどのようなデータパケットが非ライセンス周波数帯域を使用して送信されるのに適しているかを評価し得る。この評価は、ライセンス周波数帯域および非ライセンス周波数帯域の両方が使用できる場合にのみ行なわれ得る。
【００３９】
[0050]  いくつかの場合において、周波数決定モジュール３３０は、非ライセンス周波数帯域を使用してデータパケットを送信する不成功な試みの数が不成功な送信しきい値を超えたと決定し、次の再送信の試みがライセンス周波数帯域を使用して行なわれるべきであると決定する。いくつかの場合において、周波数決定モジュール３３０は、非ライセンス周波数帯域を使用してデータパケットを送信しようと試みながら、予め決定された時間遅延が終了したと決定し、次の再送信の試みがライセンス周波数帯域を使用して行なわれるべきであると決定する。
【００４０】
[0051]  周波数決定モジュール３３０は、非ライセンス周波数帯域および／またはライセンス周波数帯域の、チャネル条件測定値のような、測定値に基づいて、ライセンス周波数帯域を使用して送信するためのデータパケットのフローのサブセットを決定し得る。
その後、周波数帯域決定モジュール３３０または送信機モジュール３２０、またはそれら２つの組み合わせは、決定に基づいて別のデバイスとの無線リンクを、ライセンス周波数帯域および／または非ライセンス周波数帯域を使用して確立し得る。
【００４１】
[0052]  次に、図３Ｂは、様々な実施形態に従って、ライセンス周波数帯域および非ライセンス周波数帯域のいずれかまたは両方を使用して動作するように構成されたデバイス３０５−ａのブロック図３００−ａを示す。デバイス３０５−ａは、例えば、図１または２に例示されたＵＥ１１５の態様を例示し得る。いくつかの実施形態において、デバイス３０５−ａは、図１または２に関連して説明された基地局１０５の態様を例示し得る。デバイス３０５−ａは、受信機モジュール３１０−ａ、送信機モジュール３２０−ａ、および／または周波数決定モジュール３３０−ａを含み得る。これらコンポーネントの各々は、互いと通信状態にあり得、それぞれ図３Ａに例示された対応するモジュールと実質的に同等の機能を果たし得る。いくつかの実施形態において、デバイス３０５−ａは、プロセッサである。
【００４２】
[0053]  デバイス３０５−ａのコンポーネントは、汎用プロセッサ、デジタルシグナルプロセッサ（ＤＳＰ）、特定用途向け集積回路（ＡＳＩＣ）、フィールドプログラマブルゲートアレイ（ＦＰＧＡ）、あるいは他のプログラマブルロジックデバイス、離散ゲートまたはトランジスタロジック、離散ハードウェアコンポーネント、あるいは本明細書において説明された機能を実行するために設計された、それら任意の組み合わせで実現あるいは実行され得る。汎用プロセッサは、マイクロプロセッサであり得るが、代替において、このプロセッサは、任意の従来のプロセッサ、コントローラ、マイクロコントローラ、またはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと連結した１つ以上のマイクロプロセッサ、あるいは任意の他のそのような構成として実現され得る。
【００４３】
[0054]  周波数帯域決定モジュール３３０−ａは、非ライセンス周波数帯域モジュール３４０、ライセンス周波数帯域モジュール３５０、肯定応答（ＡＣＫ）モジュール３６０、および／またはチャネルモニタモジュール３７０を含み得る。非ライセンス周波数帯域モジュール３４０は、非ライセンス周波数帯域を使用する送信のためのデータパケットを用意するように構成され得る。これは、非ライセンス周波数帯域が、データパケットおよび／またはデータパケットのサブセットを使用するのに適しているか、および／またはそれに好ましいかどうかを決定することを含み得る。例えば、非ライセンス周波数帯域モジュール３４０は、非ライセンス周波数帯域のチャネル条件に基づいて非ライセンス周波数帯域が好ましいかどうかを決定し得る。いくつかの場合において、非ライセンス周波数帯域モジュール３４０は、非ライセンス周波数帯域上での以前の送信が成功したかどうかに基づいて、データパケットが非ライセンス周波数帯域上で送信されるべきかどうかを決定する。それに加えて、あるいはその代わりに、非ライセンス周波数帯域モジュール３４０は、ＡＣＫメッセージに関連付けられた時間遅延（例えば、時間遅延の終了）に基づいて、データパケットが送信されるべきかどうかを決定し得る。
【００４４】
[0055]  ライセンス周波数帯域モジュール３５０は、ライセンス周波数帯域を使用する送信のためのデータパケットを用意するように構成され得る。これは、ライセンス周波数帯域が、データパケットおよび／またはデータパケットのサブセットを使用するのに適しているか、および／またはそれに好ましいかどうかを決定することを含み得る。例えば、ライセンス周波数帯域モジュール３５０は、ライセンス周波数帯域のチャネル条件に基づいてライセンス周波数帯域が好ましいかどうかを決定し得る。いくつかの場合において、ライセンス周波数帯域モジュール３５０は、非ライセンス周波数帯域上での以前の送信が成功したかどうかに基づいて、データパケットがライセンス周波数帯域上で送信されるべきかどうかを決定する。それに加えて、あるいはその代わりに、ライセンス周波数帯域モジュール３５０は、ＡＣＫメッセージに関連付けられた時間遅延（例えば、時間遅延の終了）に基づいて、データパケットが送信されるべきかどうかを決定し得る。
【００４５】
[0056]  ＡＣＫモジュール３６０は、送信のためのＡＣＫメッセージを用意するように、または受信されたＡＣＫメッセージを識別するように構成され得る。ＡＣＫモジュール３６０は、ライセンス周波数帯域および／または非ライセンス周波数帯域を使用してＡＣＫメッセージを送信するかどうかを決定するために、ライセンス周波数帯域モジュール３５０および／または非ライセンス周波数帯域モジュール３４０と通信状態にあり得る。
【００４６】
[0057]  チャネルモニタモジュール３７０は、チャネル条件をモニタするように構成され得る。チャネルモニタモジュール３７０は、ライセンス周波数帯域および／または非ライセンス周波数帯域上でチャネル条件をモニタするために、ライセンス周波数帯域モジュール３５０および／または非ライセンス周波数帯域モジュール３４０と通信状態にあり得る。いくつかの場合において、デバイス３０５−ａは、ＡＣＫモジュール３６０および／またはチャネルモニタモジュール３７０を含まない可能性がある。
【００４７】
[0058]  次に図４Ａを参照すると、それは、様々な実施形態に従って、ライセンス周波数帯域および非ライセンス周波数帯域のいずれかまたは両方を使用して動作するように構成されたモバイルデバイス１１５−ｂのブロック図４００−ａを示している。モバイルデバイス１１５−ｂは、パーソナルコンピュータ（例えば、ラップトップコンピュータ、ネットブックコンピュータ、タブレットコンピュータ、等）、セルラ電話、ＰＤＡ、スマートフォン、デジタルビデオレコーダ（ＤＶＲ）、インターネット家電、ゲーム機、ｅ−リーダー（e-reader）、等のような、様々な形態（configuration）を有し得る。モバイルデバイス１１５−ｂは、モバイル動作を容易にするために、小さなバッテリのような、内部電源（図示せず）を有し得る。いくつかの実施形態において、モバイルデバイス１１５−ｂは、図１または２のモバイルデバイス１１５であり得る。
【００４８】
[0059]  モバイルデバイス１１５−ｂは、一般的に、通信を送信するためのコンポーネントおよび通信を受信するためのコンポーネントを含むデータ通信および双方向音声のためのコンポーネントを含み得る。モバイルデバイス１１５−ｂは、アンテナ（単数または複数）４０５、送信機モジュール４１０、受信機モジュール４１５、プロセッサモジュール４２０、およびメモリ４２５（およびソフトウェア（ＳＷ）４３０）を含み得、それらは、それぞれ、直接的または間接的に、（例えば、１つ以上のバス４３５を介して）互いに通信し得る。送信機モジュール４１０および受信機モジュール４１５は、上述したように、１つ以上のネットワークと、アンテナ（単数または複数）４０５および／または１つ以上のワイヤードまたはワイヤレスリンクを介して、双方向で通信するように構成された単一のトランシーバモジュールの態様であり得る。例えば、送信機モジュール４１０および受信機モジュール４１５は、図１または２の基地局１０５と双方向で通信するように構成され得る。送信機モジュール４１０および受信機モジュール４１５は、パケットを変調し、変調されたパケットを送信のためにアンテナ（単数または複数）４０５に提供し、アンテナ（単数または複数）４０５から受信されたパケットを復調するように構成されたモデムの態様であり得る、またはそれを含み得る。モバイルデバイス１１５−ｂは単一のアンテナ４０５を含み得る一方で、モバイルデバイス１１５−ｂは複数のワイヤレス送信を同時に送信および／または受信することができる複数のアンテナ４０５を有し得る。
【００４９】
[0060]  メモリ４２５は、ランダムアクセスメモリ（ＲＡＭ）および読取専用メモリ（ＲＯＭ）を含み得る。メモリ４２５は、実行されたとき、プロセッサモジュール４２０に、本明細書で説明された様々な機能（例えば、パケットをライセンスまたは非ライセンススペクトル上で送信するかどうかを決定すること、チャネル条件を評価すること、ＡＣＫメッセージおよび／またはＡＣＫメッセージに関連付けられた時間遅延を認識すること、等）を実行させるように構成された命令を含む、コンピュータ可読、コンピュータ実行可能なソフトウェア／ファームウェアコード４３０を記憶し得る。あるいは、ソフトウェア／ファームウェアコード４３０は、プロセッサモジュール４２０によって直接的に実行可能でない場合があるが、（例えば、コンパイルおよび実行されたとき）コンピュータに、本明細書で説明された機能を実行させるように構成され得る。
【００５０】
[0061]  プロセッサモジュール４２０は、例えば、中央処理ユニット（ＣＰＵ）、マイクロコントローラ、特定用途向け集積回路（ＡＳＩＣ）、等のようなインテリジェントハードウェアデバイスを含み得る。モバイルデバイス１１５−ｂは、マイクロフォンを介してオーディオを受信することと、オーディオを受信されたオーディオを表わすパケット（例えば、長さ２０ｍｓ、長さ３０ｍｓ、等）に変換することと、オーディオパケットを送信機モジュール４１０および／または受信機モジュール４１５に提供することと、ユーザが話しているかどうかのインジケーションを提供することを行うように構成されたスピーチ符号器（図示せず）を含み得る。
【００５１】
[0062]  図４Ａのアーキテクチャによると、モバイルデバイス１１５−ｂは、周波数帯域決定モジュール３３０−ｂをさらに含み得、それは、図３Ａおよび３Ｂのデバイス３０５の対応するモジュールと実質的に同じであり得る。いくつかの場合において、周波数帯域決定モジュール３３０−ｂは、図３Ｂに関連して説明された非ライセンス周波数帯域モジュール３４０、ライセンス周波数帯域モジュール３５０、ＡＣＫモジュール３６０および／またはチャネルモニタモジュール３７０の機能を実行するように構成される。
【００５２】
[0063]  例として、周波数帯域決定モジュールは、バスを介してモバイルデバイス１１５−ｂの他のコンポーネントのいくつかあるいはすべてと通信状態にあるモバイルデバイス１１５−ｂのコンポーネントであり得る。あるいは、周波数帯域決定モジュール３３０−ｂの機能は、送信機モジュール４１０、受信機モジュール４１５のコンポーネントとして、コンピュータプログラム製品として、および／またはプロセッサモジュール４２０の１つ以上のコントローラ要素として実現され得る。
【００５３】
[0064]  図４Ｂは、様々な実施形態に従って、ライセンス周波数帯域および非ライセンス周波数帯域のいずれかまたは両方を使用して動作するように構成されたシステムのブロック図４００−ｂを示す。このシステム４００−ｂは、図１または２に図示されたシステム１００または２００の態様の一例であり得る。システム４００−ｂは、ワイヤレス通信リンク１２５を介してＵＥ１１５と通信するために構成された基地局１０５−ｂを含み得る。基地局１０５−ｂは、他の基地局（図示せず）から通信リンク１２５を受信することができる。基地局１０５−ｂは、例えば、システム１００または２００で例示されるようなｅＮＢ１０５であり得る。
【００５４】
[0065]  いくつかの場合において、基地局１０５−ｂは、１つ以上のワイヤードまたはワイヤレスバックホールリンクを有し得る。基地局１０５−ｂは、例えば、コアネットワーク１３０−ａへのワイヤードバックホールリンク（例えば、Ｓ１インターフェース、等）を有するマクロｅＮＢ１０５であり得る。基地局１０５−ｂはまた、基地局間通信リンク（例えば、Ｘ２インターフェース、等）を介して、基地局１０５−ｍおよび基地局１０５−ｎのような、他の基地局１０５と通信し得る。基地局１０５の各々は、同じまたは異なるワイヤレス通信技術を使用してＵＥ１１５と通信し得る。いくつかの場合において、基地局１０５−ｂは、基地局通信モジュール４８５を利用して１０５−ｍおよび／または１０５−ｎのような他の基地局と通信し得る。いくつかの実施形態において、基地局通信モジュール485は、いくつかの基地局１０５間の通信を提供するために、ＬＴＥ／ＬＴＥ−Ａワイヤレス通信ネットワーク技術内のＸ２インターフェースを提供し得る。いくつかの実施形態において、基地局１０５−ｂは、コアネットワーク１３０−ａを通して他の基地局と通信し得る。いくつかの場合において、基地局１０５−ｂは、ネットワーク通信モジュール４６５を通してコアネットワーク１３０−ａと通信し得る。
【００５５】
[0066]  基地局１０５−ｂのためのコンポーネントは、図１および２の基地局１０５および／または図３Ａおよび３Ｂのデバイス３０５に関して上述した態様を実現するように構成され得るので、ここでは簡潔さのために繰り返されない。例えば、基地局１０５−ｂは、パケットをライセンスまたは非ライセンススペクトル上で送信するかどうかを決定し、チャネル条件を評価し、ＡＣＫメッセージ、および／またはＡＣＫメッセージに関連付けられた時間遅延を認識するように構成され得る。
【００５６】
[0067]  基地局１０５−ｂは、アンテナ４４５、トランシーバモジュール４５０、プロセッサモジュール４６０、および（ソフトウェア（ＳＷ）４７５を含む）メモリ４７０を含み得、これらは、それぞれ、（例えば、バスシステム４８０を介して）直接的または間接的に、互いと通信状態にあり得る。トランシーバモジュール４５０は、アンテナ４４５を介して、ＵＥ１１５−ｅと双方向で通信するように構成され得、これは、マルチモードデバイスであり得る。トランシーバモジュール４５０（および／または基地局１０５−ｂの他のコンポーネント）はまた、アンテナ４４５を介して、１つ以上の他の基地局（図示せず）と双方向で通信するように構成され得る。トランシーバモジュール４５０は、パケットを変調し、変調されたパケットを送信のためにアンテナ４４５に提供し、アンテナ４４５から受信されたパケットを復調するように構成されたモデムを含み得る。基地局１０５−ｂは、それぞれ１つ以上の関連アンテナ４４５を備えた、複数のトランシーバモジュール４５０を含み得る。
【００５７】
[0068]  メモリ４７０は、ランダムアクセスメモリ（ＲＡＭ）および読取専用メモリ（ＲＯＭ）を含み得る。メモリ４７０はまた、実行されたとき、プロセッサモジュール４６０に、本明細書で説明された様々な機能（例えば、パケットをライセンスまたは非ライセンススペクトル上で送信するかどうかを決定すること、チャネル条件を評価すること、ＡＣＫメッセージおよび／またはＡＣＫメッセージに関連付けられた時間遅延を認識すること、等）を実行させるように構成された命令を含む、コンピュータ可読、コンピュータ実行可能なソフトウェアコード４７５を記憶し得る。あるいは、ソフトウェア４７５は、プロセッサモジュール４６０によって直接的に実行可能でない場合があるが、例えば、コンパイルおよび実行された場合、コンピュータに、本明細書で説明された機能を実行させるように構成される。
【００５８】
[0069]  プロセッサモジュール４６０は、例えば、中央処理ユニット（ＣＰＵ）、マイクロコントローラ、特定用途向け集積回路（ＡＳＩＣ）、等のようなインテリジェントハードウェアデバイスを含み得る。プロセッサモジュール４６０は、符号器、キュー処理モジュール、ベースバンドプロセッサ、無線装置コントローラ、デジタルシグナルプロセッサ（ＤＳＰ）、等のような、様々な特殊用途プロセッサを含み得る。
【００５９】
[0070]  図４Ｂのアーキテクチャによると、基地局１０５−ｂは、通信管理モジュール４９０をさらに含み得る。通信管理モジュール４９０は、他の基地局１０５との通信を管理し得る。通信管理モジュールは、他の基地局１０５と連携してＵＥ１１５との通信を制御するためのスケジューラおよび／またはコントローラを含み得る。例えば、通信管理モジュール４９０は、ＵＥ１１５への送信のスケジューリング、および／または、チャネル条件を評価することおよび／またはライセンスまたは非ライセンススペクトル上で送信するかどうかを決定することを含む、様々な干渉緩和技法を実行し得る。
【００６０】
[0071]  いくつかの実施形態において、基地局１０５−ｂは、図３Ａおよび３Ｂのデバイス３０５の対応するモジュールと実質的に同じであり得る、周波数帯域決定モジュール３３０−ｃ、または図４Ａの周波数帯域決定モジュール３３０−ｂを含む。いくつかの場合において、周波数帯域決定モジュール３３０−ｃは、図３Ｂに関連して説明された非ライセンス周波数帯域モジュール３４０、ライセンス周波数帯域モジュール３５０、ＡＣＫモジュール３６０および／またはチャネルモニタモジュール３７０の機能を実行するように構成される。
【００６１】
[0072]  例として、周波数帯域決定モジュール３３０−ｃは、バスを介して基地局１０５−ｂの他のコンポーネントのいくつかあるいはすべてと通信状態にある基地局１０５−ｂのコンポーネントであり得る。あるいは、周波数帯域決定モジュール３３０−ｃの機能は、トランシーバモジュール４５０のコンポーネントとして、コンピュータプログラム製品として、および／またはプロセッサモジュール４６０の１つ以上のコントローラ要素として実現され得る。
【００６２】
[0073]  図５は、様々な実施形態に従って、ライセンス周波数帯域および非ライセンス周波数帯域のいずれかまたは両方を使用して動作するように構成された通信システム５００のブロック図５００を示す。このシステム５００は、送信機モジュール５２０および受信機モジュール５１０を含む。いくつかの場合において、送信機モジュール５２０は、例えば、図３Ａまたは３Ｂに例示される送信機モジュール３２０、図４Ａに例示される送信機モジュール４１０、および／または図４Ｂに例示されるトランシーバモジュール４５０の態様を例示し得る。いくつかの場合において、受信機モジュール５１０は、例えば、図３Ａまたは３Ｂに例示される受信機モジュール３１０、図４Ａに例示される受信機モジュール４１５、および／または図４Ｂに例示されるトランシーバモジュール４５０の態様を例示し得る。いくつかの場合において、送信機モジュール５２０は、図１または２に関連して参照されるような、基地局１０５のコンポーネントであり、受信機モジュール５１０は、図１または２に関連して参照されるような、モバイルデバイス１１５のコンポーネントであり、その逆もまたしかりである。様々な実施形態において、送信機モジュール５２０および／または受信機モジュール５１０は、コアネットワーク１３０（図１）のコンポーネントである。非ライセンス周波数帯域５４０および／またはライセンス周波数帯域５３０は、バックホールリンク１３２または１３４（図１）のコンポーネントであり得る。
【００６３】
[0074]  送信機モジュール５２０は、ライセンス周波数帯域５３０および／または非ライセンス周波数帯域５４０を介して受信機モジュール５１０と通信し得る。データパケット５５０または５６０のような、パケットのフローは、送信機モジュール５２０から受信機モジュール５１０に送信され得る。いくつかの場合において、パケットのフローは、送信制御プロトコル（ＴＣＰ）パケットを含む。パケットのフローを受信すると、受信機モジュール５１０は、肯定応答（ＡＣＫ）メッセージ５７０を送信機モジュール５２０に戻して、パケットのフローの成功した送信を確認し得る。ＡＣＫメッセージ５７０が送信機モジュール５２０によって受信されない場合、それは、パケットのフロー５５０の送信が不成功であったことを表わし得る。いくつかの場合において、送信機モジュール５２０は、非ライセンス周波数帯域５４０使用してほとんどの（most）データ５５０を送ることを好み得る。しかしながら、例えば信頼性を向上させるために、データのサブセット５６０は、ライセンス周波数帯域５３０を使用して受信機モジュール５１０に送信および／再送信され得る。選択的データ５６０は、送信機モジュール５２０から受信機モジュール５１０に成功裏に送信することができなかったデータ、および／またはライセンス周波数帯域５３０を使用して送信されるよう指定された他のデータのような、優先度の高いデータを含み得る。いくつかの実施形態において、ＡＣＫメッセージ５７０は、データが成功裏に送信されたかどうかを確実に決定するために、ライセンス周波数帯域５３０を使用して常に送信される。
【００６４】
[0075]  次に、図６は、様々な実施形態に従って、ライセンスおよび非ライセンス周波数の両方を使用して動作するように構成された通信システム６００のコールフロー図を図示する。いくつかの実施形態において、送信機５２０−ａは、図５の送信機モジュール５２０の態様を例示し得、および／または受信機５１０−ａは、図５の受信機モジュール５１０の態様を例示し得る。
【００６５】
[0076]  送信機５２０−ａは、非ライセンス周波数帯域を使用して受信機５１０−ａに、パケットのフローのような、データを送信することを試み得る６１０。送信機５２０−ａは、非ライセンス周波数帯域を使用してデータを再送信６２０することを試み得る６２０。送信機は、例えば、成功した送信を示すようにＡＣＫメッセージが受信されなかったため、データを再送信し得る。非ライセンス周波数帯域を使用する再送信の試みの数６２０〜６３０は、不成功な送信の試みしきい値（an unsuccessful transmission attempt threshold）６４０を超える可能性がある。送信機５２０−ａは、例えば、不成功な送信の試みしきい値６４０を超えることに基づいて、データ送信が不成功であったと決定し得る６５０。送信機５２０−ａは、ライセンス周波数帯域を使用して、データ、またはデータのサブセットを再送信することを試み得る６６０。受信機５１０−ａは、ＡＣＫメッセージを送信機５２０−ａに戻し得る６７０。ＡＣＫメッセージは、データの成功した送信に応答し得る。
【００６６】
[0077]  図７は、様々な実施形態に従って、ライセンスおよび非ライセンス周波数のいずれかまたは両方を使用して動作するように構成された通信システム７００のコールフロー図を図示する。いくつかの実施形態において、送信機５２０−ｂは、図５の送信機モジュール５２０の態様を例示し得、および／または受信機５１０−ｂは、図５の受信機モジュール５１０の態様を例示し得る。
【００６７】
[0078]  送信機５２０−ｂは、非ライセンス周波数帯域を使用して受信機５１０−ｂに、パケットのフローのような、データを送信することを試み得る７１０。送信機５２０−ｂは、非ライセンス周波数帯域を使用して数回データを再送信することを試み得る７２０、７３０。送信機は、成功した送信を示すようにＡＣＫメッセージが受信されなかったため、データを再送信し得る。非ライセンス周波数帯域を使用してデータを送信する７１０および／またはデータを再送信する７２０、７３０第１の試みの間に経過した時間７４０は、予め特定された、または予め決定された時間遅延を超え得る。送信機５２０−ｂは、例えば、予め特定された時間遅延を超えることに基づいて、データ送信が不成功であったと決定し得る７５０。送信機５２０−ｂは、ライセンス周波数帯域を使用して、データ、またはデータのサブセットを再送信することを試み得る７６０。受信機５１０−ｂは、ＡＣＫメッセージを送信機５２０−ｂに戻し得る７７０。ＡＣＫメッセージは、データの成功した送信に応答し得る。
【００６８】
[0079]  図８は、様々な実施形態に従って、ライセンスおよび非ライセンス周波数の両方を使用して動作するように構成された通信システム８００のコールフロー図を図示する。いくつかの実施形態において、送信機５２０−ｃは、図５の送信機モジュール５２０の態様を例示し得、および／または受信機５１０−ｃは、図５の受信機モジュール５１０の態様を例示し得る。
【００６９】
[0080]  送信機５２０−ｃは、非ライセンス周波数帯域のチャネル条件をモニタし得る８１０。チャネル条件をモニタすることは、信号対雑音比を測定することと、信号強度を測定することと、干渉を測定することと、帯域幅を測定することと、および／または周波数帯域上で実行される他の測定を含み得る。送信機５２０−ｃは、ライセンス周波数帯域のチャネル条件をモニタし得る８２０。送信機５２０−ｃは、どの周波数帯域を送信のために使用するかを決定し得る８３０。決定８３０は、ライセンス周波数帯域および／または非ライセンス周波数帯域の測定されたチャネル条件に少なくとも部分的に基づき得る。周波数帯域は、データの異なるパケットによって異なり得る。いくつかの場合において、非ライセンス周波数帯域を使用してデータを送信することが好ましいが、非ライセンス周波数帯域は常に信頼できるものではない。非ライセンス周波数帯域を使用して送信が不成功であったデータパケットでは、ライセンス周波数帯域を使用して再送信が行なわれ得る。いくつかの場合において、データは非ライセンス周波数帯域を使用して送信され、データのサブセットはライセンス周波数帯域を使用して送信される。
【００７０】
[0081]  データは、非ライセンス周波数帯域を使用して送信機５２０−ｃから受信機５１０−ｃに送信され得る８４０。データは、ライセンス周波数帯域を使用して送信機５２０−ｃから受信機５１０−ｃに選択的に送信され得る８５０。データは、非ライセンス周波数帯域を使用して送信が不成功であったデータのサブセットを再送信することで、選択的に送信され得る。いくつかの場合において、データの比率は、ライセンス周波数帯域を使用して、例えば、ライセンス周波数帯域の利用可能な帯域幅を使用すること等によって、送信され、残りのデータは、非ライセンス周波数帯域を使用して送信される。データは、送信されるデータのタイプに基づいて非ライセンス周波数帯域およびライセンス周波数帯域の間で分配され得る。例えば、テキストメッセージは、非ライセンス周波数帯域を使用して送信され得、一方で音声呼および／または緊急メッセージはライセンス周波数帯域を使用して送信される。受信機５１０−ｃは、データの受信に応答して、ＡＣＫメッセージを送信機５２０−ｃに戻し得る８６０。いくつかの場合において、ＡＣＫメッセージは、データが受信されたのと同じ周波数帯域を使用して送信される。ＡＣＫメッセージは、ライセンス周波数帯域を使用して常に送信され得る。
【００７１】
[0082]  図８において、送信機５２０−ｃは、チャネル条件をモニタするように図示される８１０、８２０。しかしながら、いくつかの実施形態において、受信機５１０−ｃは、チャネル条件を単独でおよび／または同時にモニタし、データの送信に用いる周波数帯域を決定、または提案する。
【００７２】
[0083]  図９は、様々な実施形態に従って、ライセンス周波数帯域および非ライセンス周波数帯域の両方を使用して通信システムを動作させるための方法９００のフロー図を図示する。方法９００は、図１、２、４Ａ、または４Ｂの基地局１０５および／またはモバイルデバイス１１５によって、および／または図３Ａまたは３Ｂのデバイス３０５によって、および／または図５、６、７、または８の送信機モジュール５２０および受信機モジュール５１０によって、実現され得る。
【００７３】
[0084]  ブロック９１０において、方法は、非ライセンス周波数帯域上でデータパケットのフローを送信することを含み得る。ブロック９１０の動作は、様々な実施形態において、図３Ａ、３Ｂ、４Ａ、または４Ｂの周波数帯域決定モジュール３３０および／または図３Ｂの非ライセンス周波数帯域モジュール３４０によって実行される。
【００７４】
[0085]  ブロック９２０において、方法は、ライセンス周波数帯域上でデータパケットのフローのサブセットを選択的に送信することを含み得る。ブロック９２０の動作は、様々な実施形態において、図３Ａ、３Ｂ、４Ａ、または４Ｂの周波数帯域決定モジュール３３０および／または図３Ｂのライセンス周波数帯域モジュール３５０によって実行される。
【００７５】
[0086]  データパケットのフローのサブセットを選択的に送信することは、ライセンス周波数帯域上でデータパケットのフローのサブセットを選択的に再送信することを備える。いくつかの場合において、データパケットのフローのサブセットを選択的に送信することは、非ライセンス周波数帯域上での不成功な送信の数がしきい値を超える場合、ライセンス周波数帯域上で少なくともデータパケットのフローのサブセットを再送信することを備える。いくつかの場合において、データパケットのフローのサブセットを選択的に送信することは、肯定応答メッセージを受信することなく時間遅延が終了する場合、ライセンス周波数帯域上で少なくともデータパケットのフローのサブセットを再送信することを備える。データパケットのフローは、送信制御プロトコルパケットを備え得る。いくつかの場合において、方法９００は、さらに、ライセンス周波数帯域上でＡＣＫメッセージを受信することを含む。
【００７６】
[0087]  図１０は、様々な実施形態に従って、ライセンス周波数帯域および非ライセンス周波数帯域の両方を使用して通信システムを動作させるための方法１０００のフロー図を図示する。方法１０００は、図１、２、または４の基地局１０５および／またはモバイルデバイス１１５によって、および／または図３Ａまたは３Ｂのデバイス３０５によって、および／または図５、６、７、または８の送信機モジュール５２０および受信機モジュール５１０によって、実現され得る。
【００７７】
[0088]  ブロック１０１０において、方法は、非ライセンス周波数帯域上でデータパケットのフローを送信することを含み得る。ブロック１０１０の動作は、様々な実施形態において、図３Ａ、３Ｂ、４Ａ、または４Ｂの周波数帯域決定モジュール３３０によって、および／または図３Ｂの非ライセンス周波数帯域モジュール３４０によって実行される。
【００７８】
[0089]  ブロック１０２０において、方法は、少なくともデータパケットのフローのサブセットが成功裏に受信されたかどうかを決定することを含み得る。いくつかの場合において、少なくともデータパケットのフローのサブセットが成功裏に受信されたかどうかを決定することは、肯定応答メッセージが受信されたかどうかを決定することを備える。ブロック１０２０の動作は、様々な実施形態において、図３Ａ、３Ｂ、４Ａ、または４Ｂの周波数帯域決定モジュール３３０、図３Ｂの非ライセンス周波数帯域モジュール３４０、および／または図３ＢのＡＣＫモジュール３６０によって実行される。
【００７９】
[0090]  ブロック１０３０において、方法は、ライセンス周波数帯域上でデータパケットのフローのサブセットを選択的に送信することを含み得る。ブロック１０３０の動作は、様々な実施形態において、図３Ａ、３Ｂ、４Ａ、または４Ｂの周波数帯域決定モジュール３３０および／または図３Ｂのライセンス周波数帯域モジュール３５０によって実行される。
【００８０】
[0091]  図１１は、様々な実施形態に従って、ライセンス周波数帯域および非ライセンス周波数帯域の両方を使用して通信システムを動作させるための方法１１００のフロー図を図示する。方法１１００は、図１、２、または４の基地局１０５および／またはモバイルデバイス１１５によって、および／または図３Ａまたは３Ｂのデバイス３０５によって、および／または図５、６、７、または８の送信機モジュール５２０および受信機モジュール５１０によって、実現され得る。
【００８１】
[0092]  ブロック１１１０において、方法は、非ライセンス周波数帯域のチャネル条件をモニタすることを含み得る。ブロック１１１０の動作は、様々な実施形態において、図３Ａ、３Ｂ、４Ａ、または４Ｂの周波数帯域決定モジュール３３０、図３Ｂの非ライセンス周波数帯域モジュール３４０、および／または図３Ｂのチャネルモニタモジュール３７０によって実行される。
【００８２】
[0093]  ブロック１１２０において、方法は、ライセンス周波数帯域のチャネル条件をモニタすることを含み得る。いくつかの場合において、非ライセンス周波数帯域のチャネル条件をモニタすることと、ライセンス周波数帯域のチャネル条件をモニタすることは、同時に実行される。ブロック１１２０の動作は、様々な実施形態において、図３Ａ、３Ｂ、４Ａ、または４Ｂの周波数帯域決定モジュール３３０、図３Ｂのライセンス周波数帯域モジュール３５０、および／または図３Ｂのチャネルモニタモジュール３７０によって実行される。
【００８３】
[0094]  ブロック１１３０において、方法は、非ライセンス周波数帯域のモニタされたチャネル条件またはライセンス周波数帯域の前記モニタされたチャネル条件に少なくとも部分的に基づいて、ライセンス周波数帯域上または非ライセンス周波数帯域上で送信するかどうかを決定することを含み得る。ブロック１１３０の動作は、様々な実施形態において、図３Ａ、３Ｂ、４Ａ、または４Ｂの周波数帯域決定モジュール３３０、図３Ｂの非ライセンス周波数帯域モジュール３４０、図３Ｂのライセンス周波数帯域モジュール３５０、および／または図３Ｂのチャネルモニタモジュール３７０によって実行される。
【００８４】
[0095]  ブロック１１４０において、方法は、非ライセンス周波数帯域上でデータパケットのフローを送信することを含み得る。ブロック１１４０の動作は、様々な実施形態において、図３Ａ、３Ｂ、４Ａ、または４Ｂの周波数帯域決定モジュール３３０および／または図３Ｂの非ライセンス周波数帯域モジュール３４０によって実行される。
【００８５】
[0096]  ブロック１１５０において、方法は、ライセンス周波数帯域上でデータパケットのフローのサブセットを選択的に送信することを含み得る。ブロック１１５０の動作は、様々な実施形態において、図３Ａ、３Ｂ、４Ａ、または４Ｂの周波数帯域決定モジュール３３０および／または図３Ｂのライセンス周波数帯域モジュール３５０によって実行される。
【００８６】
[0097]  当業者は、方法９００、１０００、および１１００が本明細書で説明された手段および技法の実現の例であることを理解するであろう。方法は、より多いまたは少ないステップで実行され得、それらは、示された順序以外の順序で実行され得る。
【００８７】
[0098]  本明細書で説明された技法は、ＣＤＭＡ、ＴＤＭＡ、ＦＤＭＡ、ＯＦＤＭＡ、ＳＣ−ＦＤＭＡ、および他のシステムのような様々なワイヤレス通信システムのために使用され得る。「システム」および「ネットワーク」という用語は、しばしば交換可能に使用される。ＣＤＭＡシステムは、ＣＤＭＡ２０００、ユニバーサル地上無線アクセス（ＵＴＲＡ）、等のような無線技術を実現し得る。ＣＤＭＡ２０００は、ＩＳ−２０００、ＩＳ−９５、およびＩＳ−８５６規格をカバーする。ＩＳ−２０００リリース０およびＡは、一般的に、ＣＤＭＡ２０００ １Ｘ、１Ｘ、等と称される。ＩＳ−８５６（ＴＩＡ−８５６）は、一般的に、ＣＤＭＡ２０００ １ｘＥＶ−ＤＯ、高速パケットデータ（ＨＲＰＤ）、等と称される。ＵＴＲＡは、広帯域ＣＤＭＡ（ＷＣＤＭＡ（登録商標））およびＣＤＭＡの他の変形を含む。ＴＤＭＡシステムは、移動通信のためのグローバルシステム（ＧＳＭ（登録商標））のような無線技術を実現し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等、のような無線技術を実現し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスド（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に説明されている。ＣＤＭＡ２０００およびＵＭＢは、「第３世代パートナーシッププロジェクト２」（３ＧＰＰ２）と呼ばれる団体からの文書に説明されている。本明細書で説明された技法は、上述されたシステムおよび無線技術のみならず、他のシステムおよび無線技術に使用され得る。しかしながら、上記の説明は、実例を目的としてＬＴＥシステムを説明しており、ＬＴＥ用語が下記の説明の大部分において使用されているが、この技法はＬＴＥ適用を超えて適用可能である。
【００８８】
[0099]  添付図面に関連して上述された詳細な説明は、例示的な実施形態を説明するものであり、実現され得る、あるいは特許請求の範囲内にある実施形態のみを表すものではない。詳細な説明は、説明された技法の理解を提供する目的で、特定の詳細を含む。しかしながら、これらの技法は、これらの特定の詳細なしで実施され得る。いくつかの例では、周知の構造およびデバイスは、説明された実施形態の概念を曖昧にすることを回避するためにブロック図で示される。
【００８９】
[0100]  情報と信号は、様々な異なる技術および技法のいずれかを使用して表され得る。例えば、上記の説明の全体にわたって参照され得る、データ、命令、コマンド、情報、信号、ビット、シンボル、およびチップは、電圧、電流、電磁波、磁場あるいは磁粒子、光場あるいは光学粒子、あるいはそれら任意の組み合わせによって表わされ得る。
【００９０】
[0101]  本明細書の開示に関連して説明された様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）、あるいは他のプログラマブルロジックデバイス、離散ゲートまたはトランジスタロジック、離散ハードウェアコンポーネント、あるいは本明細書で説明された機能を実行するように設計されたそれら任意の組み合わせで実現または実行され得る。汎用プロセッサは、マイクロプロセッサであり得るが、代替において、プロセッサは、任意の従来のプロセッサ、コントローラ、マイクロコントローラ、またはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと連結した１つ以上のマイクロプロセッサ、あるいは任意の他のそのような構成として実現され得る。
【００９１】
[0102]  本明細書で説明された機能は、ハードウェア、プロセッサによって実行されるソフトウェア、ファームウェア、またはそれら任意の組み合わせで実現され得る。プロセッサによって実行されるソフトウェアで実現される場合、機能は、コンピュータ可読媒体上で、１つ以上の命令またはコードとして記憶または送信され得る。他の例および実現は、本開示および特許請求の範囲の精神および範囲内にある。例えば、ソフトウェアの性質により、上記に説明された機能は、プロセッサによって実行されるソフトウェア、ハードウェア、ファームウェア、ハードワイヤリング、またはこれらのいずれかの組み合わせを使用して実現されることができる。機能を実現する特徴はまた、様々な位置において物理的に配置され得、それは、機能の一部が異なる物理的な位置において実現されるように分配されることを含む。また、本明細書で使用されるように、特許請求の範囲を含む、「のうちの少なくとも１つ（at least one of）」で始まる項目のリストで使用される「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するように離接的なリスト（disjunctive list）を示す。
【００９２】
[0103]  コンピュータ可読媒体は、１つの場所から別の場所へのコンピュータプログラムの転送を容易にする任意の媒体を含む、コンピュータ記憶媒体と通信媒体の両方を含む。記憶媒体は、汎用または専用コンピュータによってアクセスされることができる任意の利用可能な媒体であり得る。それに制限されない例として、コンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、あるいは、命令またはデータ構造の形態で所望のプログラムコード手段を搬送または記憶するように使用されることができ、汎用または特殊用途コンピュータ、あるいは汎用または特殊用途プロセッサによってアクセスされることができる、任意の他の媒体を備えることできる。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイディスクを含み、ここでディスク（disks）は、通常データを磁気的に再生し、一方ディスク（discs）は、レーザーを用いてデータを光学的に再生する。上記の組み合わせはまた、コンピュータ可読媒体の範囲内に含まれる。
【００９３】
[0104]  本開示の先の説明は、当業者が本開示を製造または使用することを可能にするように提供される。本開示に対する様々な変更は、当業者に容易に理解され、本明細書で定義された一般的な原理は、本開示の精神または範囲から逸脱せずに、他の変形に適用され得る。本開示全体にわたって、「例」または「例示的」という用語は、例または事例を示すものであり、言及された例についてのいかなる選好を暗に示すものでも必要とするものでもない。よって、本開示は、本明細書で説明された例および設計に限定されるように意図されたものではなく、本明細書で開示された原理および新規な特徴と一致する最も広い範囲が付与されるべきである。
以下に、出願当初の特許請求の範囲に記載された発明を付記する。
［Ｃ１］
ワイヤレス通信の方法であって、
非ライセンス周波数帯域上でデータパケットのフローを送信することと、
ライセンス周波数帯域上でデータパケットの前記フローのサブセットを選択的に送信することと
を備える、方法。
［Ｃ２］
データパケットの前記フローの前記サブセットを選択的に送信することは、
前記ライセンス周波数帯域上でデータパケットの前記フローの前記サブセットを選択的に再送信することを備える、Ｃ１に記載の方法。
［Ｃ３］
少なくともデータパケットの前記フローの前記サブセットが成功裏に受信されたかどうかを決定することをさらに備える、Ｃ１に記載の方法。
［Ｃ４］
少なくともデータパケットの前記フローの前記サブセットが成功裏に受信されたかどうかを決定することは、
肯定応答（ＡＣＫ）メッセージが受信されたかどうかを決定することを備える、Ｃ３に記載の方法。
［Ｃ５］
前記ライセンス周波数帯域上でデータパケットの前記フローの前記サブセットを選択的に送信することは、
前記非ライセンス周波数帯域上での不成功な送信の数がしきい値を超える場合、前記ライセンス周波数帯域上で少なくともデータパケットの前記フローの前記サブセットを再送信することを備える、Ｃ１に記載の方法。
［Ｃ６］
前記ライセンス周波数帯域上でデータパケットの前記フローの前記サブセットを選択的に送信することは、
肯定応答（ＡＣＫ）メッセージを受信することなく時間遅延が終了する場合、前記ライセンス周波数帯域上で少なくともデータパケットの前記フローの前記サブセットを再送信することを備える、Ｃ１に記載の方法。
［Ｃ７］
前記非ライセンス周波数帯域のチャネル条件をモニタすることと、
前記ライセンス周波数帯域のチャネル条件をモニタすることと
をさらに備える、Ｃ１に記載の方法。
［Ｃ８］
前記非ライセンス周波数帯域をモニタすることと、前記ライセンス周波数帯域をモニタすることは、同時に実行される、Ｃ７に記載の方法。
［Ｃ９］
前記非ライセンス周波数帯域の前記モニタされたチャネル条件または前記ライセンス周波数帯域の前記モニタされたチャネル条件に少なくとも部分的に基づいて、前記ライセンス周波数帯域上または前記非ライセンス周波数帯域上で送信するかどうかを決定することをさらに備える、Ｃ７に記載の方法。
［Ｃ１０］
前記ライセンス周波数帯域上でＡＣＫメッセージを受信することをさらに備える、Ｃ１に記載の方法。
［Ｃ１１］
データパケットの前記フローは、送信制御プロトコル（ＴＣＰ）パケットを備える、Ｃ１に記載の方法。
［Ｃ１２］
ワイヤレス通信のためのシステムであって、
非ライセンス周波数帯域上でデータパケットのフローを送信するための手段と、
ライセンス周波数帯域上でデータパケットの前記フローのサブセットを選択的に送信するための手段と
を備える、システム。
［Ｃ１３］
データパケットの前記フローの前記サブセットを選択的に送信するための前記手段は、
前記ライセンス周波数帯域上でデータパケットの前記フローの前記サブセットを選択的に送信するための手段を備える、Ｃ１２に記載のシステム。
［Ｃ１４］
少なくともデータパケットの前記フローの前記サブセットが成功裏に受信されたかどうかを決定するための手段さらに備える、Ｃ１２に記載のシステム。
［Ｃ１５］
少なくともデータパケットの前記フローの前記サブセットが成功裏に受信されたかどうかを決定するための前記手段は、
肯定応答（ＡＣＫ）メッセージが受信されたかどうかを決定するための手段を備える、Ｃ１４に記載のシステム。
［Ｃ１６］
前記非ライセンス周波数帯域のチャネル条件をモニタするための手段と、
前記ライセンス周波数帯域のチャネル条件をモニタするための手段と
をさらに備える、Ｃ１２に記載のシステム。
［Ｃ１７］
前記非ライセンス周波数帯域の前記モニタされたチャネル条件または前記ライセンス周波数帯域の前記モニタされたチャネル条件に少なくとも部分的に基づいて、前記ライセンス周波数帯域上または前記非ライセンス周波数帯域上で送信するかどうかを決定するための手段をさらに備える、Ｃ１６に記載のシステム。
［Ｃ１８］
前記ライセンス周波数帯域上でＡＣＫメッセージを受信するための手段をさらに備える、Ｃ１２に記載のシステム。
［Ｃ１９］
ワイヤレス通信のための装置であって、
プロセッサと、
前記プロセッサと電子通信状態にあるメモリと、
前記メモリに記憶された命令とを備え、前記命令は、
非ライセンス周波数帯域上でデータパケットのフローを送信し、
ライセンス周波数帯域上でデータパケットの前記フローのサブセットを選択的に送信するために前記プロセッサによって実行可能である、装置。
［Ｃ２０］
前記命令は、
前記ライセンス周波数帯域上でデータパケットの前記フローの前記サブセットを選択的に再送信するために前記プロセッサによって実行可能である、Ｃ１９に記載の装置。
［Ｃ２１］
前記命令は、
少なくともデータパケットの前記フローの前記サブセットが成功裏に受信されたかどうかを決定するために前記プロセッサによって実行可能である、Ｃ１９に記載の装置。
［Ｃ２２］
前記命令は、
前記非ライセンス周波数帯域のチャネル条件をモニタし、
前記ライセンス周波数帯域のチャネル条件をモニタするために前記プロセッサによって実行可能である、Ｃ１９に記載の装置。
［Ｃ２３］
前記命令は、
前記非ライセンス周波数帯域の前記モニタされたチャネル条件または前記ライセンス周波数帯域の前記モニタされたチャネル条件に少なくとも部分的に基づいて、前記ライセンス周波数帯域上または前記非ライセンス周波数帯域上で送信するかどうかを決定するために前記プロセッサによって実行可能である、Ｃ２２に記載の装置。
［Ｃ２４］
前記命令は、
前記ライセンス周波数帯域上でＡＣＫメッセージを受信するために前記プロセッサによって実行可能である、Ｃ１９に記載の装置。
［Ｃ２５］
ワイヤレス通信のための命令を記憶する非一時的なコンピュータ可読媒体であって、前記命令は、
非ライセンス周波数帯域上でデータパケットのフローを送信し、
ライセンス周波数帯域上でデータパケットの前記フローのサブセットを選択的に送信するように実行可能である、非一時的なコンピュータ可読媒体。
［Ｃ２６］
データパケットの前記フローの前記サブセットを選択的に送信するための前記命令は、
前記ライセンス周波数帯域上でデータパケットの前記フローの前記サブセットを選択的に再送信するように実行可能である、Ｃ２５に記載の非一時的なコンピュータ可読媒体。
［Ｃ２７］
前記命令は、
少なくともデータパケットの前記フローの前記サブセットが成功裏に受信されたかどうかを決定するように実行可能である、Ｃ２５に記載の非一時的なコンピュータ可読媒体。
［Ｃ２８］
前記命令は、
前記非ライセンス周波数帯域のチャネル条件をモニタし、
前記ライセンス周波数帯域のチャネル条件をモニタするように実行可能である、Ｃ２５に記載の非一時的なコンピュータ可読媒体。
［Ｃ２９］
前記命令は、
前記非ライセンス周波数帯域の前記モニタされたチャネル条件または前記ライセンス周波数帯域の前記モニタされたチャネル条件に少なくとも部分的に基づいて、前記ライセンス周波数帯域上または前記非ライセンス周波数帯域上で送信するかどうかを決定するように実行可能である、Ｃ２８に記載の非一時的なコンピュータ可読媒体。
［Ｃ３０］
前記命令は、
前記ライセンス周波数帯域上でＡＣＫメッセージを受信するように実行可能である、Ｃ２５に記載の非一時的なコンピュータ可読媒体。
【図１】
0006411512.tif 000002
【図２】
0006411512.tif 000003
【図３Ａ】
0006411512.tif 000004
【図３Ｂ】
0006411512.tif 000005
【図４Ａ】
0006411512.tif 000006
【図４Ｂ】
0006411512.tif 000007
【図５】
0006411512.tif 000008
【図６】
0006411512.tif 000009
【図７】
0006411512.tif 000010
【図８】
0006411512.tif 000011
【図９】
0006411512.tif 000012
【図１０】
0006411512.tif 000013
【図１１】
0006411512.tif 000014